(57)【要約】【課題】ＭＭＴを用いるデジタル放送において、コンテンツの再生開始までに要する時間を短縮する。【解決手段】放送受信装置は、高度広帯域衛星デジタル放送に用いられる放送受信装置であって、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部とを備える。【選択図】図７
2019054365.tif 000002
【特許請求の範囲】
【請求項１】
高度広帯域衛星デジタル放送に用いられる放送受信装置であって、
第１動作モードにおいてＴＬＶ−ＮＩＴ（Ｔｙｐｅ  Ｌｅｎｇｔｈ  Ｖａｌｕｅ−Ｎｅｔｗｏｒｋ  Ｉｎｆｏｒｍａｔｉｏｎ  Ｔａｂｌｅ）を取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ（Ｐａｃｋａｇｅ  Ｌｉｓｔ  Ｔａｂｌｅ）、ＭＰＴ（ＭＰＥＧ  Ｍｅｄｉａ  Ｔｒａｎｓｐｏｒｔ  Ｐｒｏｔｏｃｏｌ  Ｐａｃｋａｇｅ  Ｔａｂｌｅ）およびコンテンツ情報が含まれる１または複数のＩＰデータフローの送信元情報および送信先情報と前記ＩＰデータフローのＣＩＤ（Ｃｏｎｔｅｘｔ  Ｉｄｅｎｔｉｆｉｃａｔｉｏｎ）との対応関係を示す対応情報を作成し、保持する対応情報作成部と、
圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部とを備える、放送受信装置。
【請求項２】
高度広帯域衛星デジタル放送に用いられる放送受信装置であって、
第１動作モードにおいてＴＬＶ−ＮＩＴを取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、
各前記ＩＰデータフローを記録する処理を行う録画部と、
前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部とを備える、放送受信装置。
【請求項３】
前記対応情報作成部は、特定のＣＩＤに対応する前記対応関係を選択的に取得し、前記対応情報として保持する、請求項２に記載の放送受信装置。
【請求項４】
高度広帯域衛星デジタル放送に用いられる放送受信装置における放送受信方法であって、
第１動作モードにおいてＴＬＶ−ＮＩＴを取得するステップと、
第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、
圧縮ヘッダを含む複数のＴＬＶパケットを受信し、受信した前記複数のＴＬＶパケット、および保持した前記対応情報に基づいて、前記コンテンツ情報を再生する処理を行うステップとを含む、放送受信方法。
【請求項５】
高度広帯域衛星デジタル放送に用いられる放送受信装置における放送受信方法であって、
第１動作モードにおいてＴＬＶ−ＮＩＴを取得するステップと、
第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、
各前記ＩＰデータフローを記録する処理を行うステップと、
記録した前記ＩＰデータフローにおける圧縮ヘッダを含む複数のＴＬＶパケット、および保持した前記対応情報に基づいて、前記ＩＰデータフローにおける前記コンテンツ情報を再生する処理を行うステップとを含む、放送受信方法。
【請求項６】
高度広帯域衛星デジタル放送に用いられる放送受信装置において用いられる放送受信プログラムであって、
コンピュータを、
第１動作モードにおいてＴＬＶ−ＮＩＴを取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、
圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部、
として機能させるための、放送受信プログラム。
【請求項７】
高度広帯域衛星デジタル放送に用いられる放送受信装置において用いられる放送受信プログラムであって、
コンピュータを、
第１動作モードにおいてＴＬＶ−ＮＩＴを取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、
各前記ＩＰデータフローを記録する処理を行う録画部と、
前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部、
として機能させるための、放送受信プログラム。
【発明の詳細な説明】
【技術分野】
【０００１】
本発明は、放送受信装置、放送受信方法および放送受信プログラムに関する。
【背景技術】
【０００２】
従来、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００３】
たとえば、非特許文献１（一般社団法人  電波産業会、”デジタル放送におけるＭＭＴによるメディアトランスポート方式  ＡＲＩＢ  ＳＴＤ−Ｂ６０  １．９版”、平成２９年３月２４日）には、ＭＭＴ方式を用いる放送システムが開示されている。
【０００４】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【先行技術文献】
【特許文献】
【０００５】
【特許文献１】特開２００７−６６４７１号公報
【非特許文献】
【０００６】
【非特許文献１】一般社団法人  電波産業会、”デジタル放送におけるＭＭＴによるメディアトランスポート方式  ＡＲＩＢ  ＳＴＤ−Ｂ６０  １．９版”、平成２９年３月２４日
【発明の概要】
【発明が解決しようとする課題】
【０００７】
このような放送データを受信してコンテンツを再生するためには、ＰＬＴ（Ｐａｃｋａｇｅ  Ｌｉｓｔ  Ｔａｂｌｅ）、ＭＰＴ（ＭＭＴ  Ｐａｃｋａｇｅ  Ｔａｂｌｅ）およびＥＣＭ（Ｅｎｔｉｔｌｅｍｅｎｔ  Ｃｏｎｔｒｏｌ  Ｍｅｓｓａｇｅ）等を受信して解析する必要がある。すなわち、コンテンツの再生を開始するためには、これらの情報を含むパケットを受信する必要があり、再生開始までに要する時間は、これらのパケットの取得時間に依存する。再生開始までに要する時間を短縮可能な技術が望まれる。
【０００８】
この発明は、上述の課題を解決するためになされたもので、その目的は、ＭＭＴを用いるデジタル放送において、コンテンツの再生開始までに要する時間を短縮することが可能な放送受信装置、放送受信方法および放送受信プログラムを提供することである。
【課題を解決するための手段】
【０００９】
（１）上記課題を解決するために、この発明のある局面に係わる放送受信装置は、高度広帯域衛星デジタル放送に用いられる放送受信装置であって、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部とを備える。
【００１０】
（２）上記課題を解決するために、この発明の他の局面に係わる放送受信装置は、高度広帯域衛星デジタル放送に用いられる放送受信装置であって、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、各前記ＩＰデータフローを記録する処理を行う録画部と、前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部とを備える。
【００１１】
（４）上記課題を解決するために、この発明のある局面に係わる放送受信方法は、高度広帯域衛星デジタル放送に用いられる放送受信装置における放送受信方法であって、第１動作モードにおいてＴＬＶ−ＮＩＴを取得するステップと、第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、圧縮ヘッダを含む複数のＴＬＶパケットを受信し、受信した前記複数のＴＬＶパケット、および保持した前記対応情報に基づいて、前記コンテンツ情報を再生する処理を行うステップとを含む。
【００１２】
（５）上記課題を解決するために、この発明の他の局面に係わる放送受信方法は、高度広帯域衛星デジタル放送に用いられる放送受信装置における放送受信方法であって、第１動作モードにおいてＴＬＶ−ＮＩＴを取得するステップと、第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、各前記ＩＰデータフローを記録する処理を行うステップと、記録した前記ＩＰデータフローにおける圧縮ヘッダを含む複数のＴＬＶパケット、および保持した前記対応情報に基づいて、前記ＩＰデータフローにおける前記コンテンツ情報を再生する処理を行うステップとを含む。
【００１３】
（６）上記課題を解決するために、この発明のある局面に係わる放送受信プログラムは、高度広帯域衛星デジタル放送に用いられる放送受信装置において用いられる放送受信プログラムであって、コンピュータを、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部、として機能させるためのプログラムである。
【００１４】
（７）上記課題を解決するために、この発明の他の局面に係わる放送受信プログラムは、高度広帯域衛星デジタル放送に用いられる放送受信装置において用いられる放送受信プログラムであって、コンピュータを、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、各前記ＩＰデータフローを記録する処理を行う録画部と、前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部、として機能させるためのプログラムである。
【００１５】
本発明は、このような特徴的な処理部を備える放送受信装置として実現することができるだけでなく、かかる特徴的な処理をステップとする方法として実現することができる。また、放送受信装置の一部または全部を実現する半導体集積回路として実現したり、放送受信装置を含むシステムとして実現したりすることができる。
【発明の効果】
【００１６】
本発明によれば、ＭＭＴを用いるデジタル放送において、コンテンツの再生開始までに要する時間を短縮することができる。
【図面の簡単な説明】
【００１７】
【図１】図１は、本発明の実施の形態に係る放送受信システムの構成を示す図である。
【図２】図２は、本発明の実施の形態に係る放送受信システムにおいて伝送されるパケット構成の一例を示す図である。
【図３】図３は、本発明の実施の形態に係る放送受信システムにおいて伝送されるヘッダ圧縮ＩＰパケットのヘッダの一例を示す図である。
【図４】図４は、本発明の実施の形態に係る放送受信システムにおけるコンテンツ取得のための情報取得経路の一例を示す図である。
【図５】図５は、本発明の実施の形態に係る放送受信システムにおけるコンテンツ取得のための情報取得経路の一例を示す図である。
【図６】図６は、本発明の実施の形態に係る放送受信システムにおける放送受信装置の構成を示す図である。
【図７】図７は、本発明の実施の形態に係る放送受信装置における処理部の構成を示す図である。
【図８】図８は、本発明の実施の形態に係る放送受信装置がチャンネル情報ＤＢの構築処理を行う際の動作手順を定めたフローチャートである。
【図９】図９は、本発明の実施の形態に係る放送受信装置がチャンネルリスト構築処理を行う際の動作手順を定めたフローチャートである。
【図１０】図１０は、本発明の実施の形態に係る放送受信装置がチャンネル情報ＤＢ構築処理を行う際の動作手順を定めたフローチャートである。
【図１１】図１１は、本発明の実施の形態に係る放送受信システムにおけるチャンネル情報ＤＢの一例を概略的に示す図である。
【図１２】図１２は、本発明の実施の形態に係る放送受信装置がコンテンツの視聴開始処理を行う際の動作手順を定めたフローチャートである。
【図１３】図１３は、本発明の実施の形態に係る放送受信装置がチャンネル情報ＤＢを更新する際の動作手順を定めたフローチャートである。
【図１４】図１４は、本発明の実施の形態に係る放送受信装置が録画処理を行う際の動作手順を定めたフローチャートである。
【図１５】図１５は、本発明の実施の形態に係る放送受信装置が録画再生処理を行う際の動作手順を定めたフローチャートである。
【図１６】図１６は、本発明の実施の形態に係る放送受信装置がＤＬＮＡ（登録商標）配信処理を行う際の動作手順を定めたフローチャートである。
【発明を実施するための形態】
【００１８】
最初に、本発明の実施形態の内容を列記して説明する。
【００１９】
（１）本発明の実施の形態に係る放送受信装置は、高度広帯域衛星デジタル放送に用いられる放送受信装置であって、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部とを備える。
【００２０】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの受信を待つことなく圧縮ヘッダを含むＴＬＶパケットを受信して処理することができる。したがって、ＭＭＴを用いるデジタル放送において、コンテンツの再生開始までに要する時間を短縮することができる。
【００２１】
（２）本発明の実施の形態に係る放送受信装置は、高度広帯域衛星デジタル放送に用いられる放送受信装置であって、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、各前記ＩＰデータフローを記録する処理を行う録画部と、前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部とを備える。
【００２２】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの検索を待つことなく圧縮ヘッダを含むＴＬＶパケットを検索して処理することができる。したがって、ＭＭＴを用いるデジタル放送において、コンテンツの再生開始までに要する時間を短縮することができる。
【００２３】
（３）好ましくは、前記対応情報作成部は、特定のＣＩＤに対応する前記対応関係を選択的に取得し、前記対応情報として保持する。
【００２４】
このような構成により、特にサービスごとにＩＰデータフローが異なる場合において、各コンテンツに対応する情報のうち、録画対象のコンテンツに対応する情報を選択的に保存することができるため、データの効率的な保存および処理が可能となる。
【００２５】
（４）本発明の実施の形態に係る放送受信方法は、高度広帯域衛星デジタル放送に用いられる放送受信装置における放送受信方法であって、第１動作モードにおいてＴＬＶ−ＮＩＴを取得するステップと、第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、圧縮ヘッダを含む複数のＴＬＶパケットを受信し、受信した前記複数のＴＬＶパケット、および保持した前記対応情報に基づいて、前記コンテンツ情報を再生する処理を行うステップとを含む。
【００２６】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく方法により、コンテンツの再生処理を行う動作モードにおいて、フルヘッダを含むＴＬＶパケットの受信を待つことなく圧縮ヘッダを含むＴＬＶパケットを受信して処理することができる。したがって、ＭＭＴを用いるデジタル放送において、コンテンツの再生開始までに要する時間を短縮することができる。
【００２７】
（５）本発明の実施の形態に係る放送受信方法は、高度広帯域衛星デジタル放送に用いられる放送受信装置における放送受信方法であって、第１動作モードにおいてＴＬＶ−ＮＩＴを取得するステップと、第２動作モードにおいて、取得したＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持するステップと、各前記ＩＰデータフローを記録する処理を行うステップと、記録した前記ＩＰデータフローにおける圧縮ヘッダを含む複数のＴＬＶパケット、および保持した前記対応情報に基づいて、前記ＩＰデータフローにおける前記コンテンツ情報を再生する処理を行うステップとを含む。
【００２８】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく方法により、コンテンツの再生処理を行う動作モードにおいて、フルヘッダを含むＴＬＶパケットの検索を待つことなく圧縮ヘッダを含むＴＬＶパケットを検索して処理することができる。したがって、ＭＭＴを用いるデジタル放送において、コンテンツの再生開始までに要する時間を短縮することができる。
【００２９】
（６）本発明の実施の形態に係る放送受信プログラムは、高度広帯域衛星デジタル放送に用いられる放送受信装置において用いられる放送受信プログラムであって、コンピュータを、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部、として機能させるためのプログラムである。
【００３０】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの受信を待つことなく圧縮ヘッダを含むＴＬＶパケットを受信して処理することができる。したがって、ＭＭＴを用いるデジタル放送において、コンテンツの再生開始までに要する時間を短縮することができる。
【００３１】
（７）本発明の実施の形態に係る放送受信プログラムは、高度広帯域衛星デジタル放送に用いられる放送受信装置において用いられる放送受信プログラムであって、コンピュータを、第１動作モードにおいてＴＬＶ−ＮＩＴを取得する取得部と、第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、各前記ＩＰデータフローを記録する処理を行う録画部と、前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部、として機能させるためのプログラムである。
【００３２】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの検索を待つことなく圧縮ヘッダを含むＴＬＶパケットを検索して処理することができる。したがって、ＭＭＴを用いるデジタル放送において、コンテンツの再生開始までに要する時間を短縮することができる。
【００３３】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３４】
図１は、本発明の実施の形態に係る放送受信システムの構成を示す図である。
【００３５】
図１を参照して、放送受信システム３０１は、放送受信装置１０１と、表示装置１５１とを備える。放送受信システム３０１は、高度ＢＳおよび高度ＣＳ等の高度広帯域衛星デジタル放送を提供する。
【００３６】
放送受信装置１０１には、たとえばアンテナ１４１および表示装置１５１が接続されている。なお、放送受信装置１０１は、アンテナ１４１および表示装置１５１の少なくともいずれか一方を備える構成であってもよい。
【００３７】
放送受信装置１０１は、たとえばストリームを含む放送波ＢＷを受信する。放送受信装置１０１は、コンテンツが複数のパケットに分割されたストリームを配信装置から受信し、表示装置１５１においてコンテンツを再生する。ストリームは、たとえば、音声情報、映像情報、ＥＰＧ（Ｅｌｅｃｔｒｏｎｉｃ  Ｐｒｏｇｒａｍ  Ｇｕｉｄｅ）情報、字幕情報およびＳＩ情報（Ｓｅｒｖｉｃｅ  Ｉｎｆｏｒｍａｔｉｏｎ）等を含む。
【００３８】
放送受信装置１０１は、たとえば、図示しない放送局からのストリームを中継するための放送衛星１７３から送信された放送波ＢＷをアンテナ１４１経由で受信する。
【００３９】
図２は、本発明の実施の形態に係る放送受信システムにおいて伝送されるパケット構成の一例を示す図である。
【００４０】
図２を参照して、ストリームを構成するＴＬＶパケットは、ＴＬＶヘッダと、ＴＬＶペイロードとを含む。ＴＬＶヘッダは、「０１」の値が格納された「スタートコード」のフィールド、「１１１１１１」の値が格納されたフィールド、「パケットタイプ」のフィールド、および「レングス」のフィールドを含む。
【００４１】
「パケットタイプ」のフィールドには、「０ｘ０１」、「０ｘ０２」、「０ｘ０３」、「０ｘＦＥ」または「０ｘＦＦ」等の値が格納される。ここで、「０ｘ」で始まる数字は、「０ｘ」以降の数字が１６進数で表されていることを意味する。
【００４２】
「パケットタイプ」のフィールドにおいて「０ｘ０１」が格納される場合、ＴＬＶパケットは、ＴＬＶペイロードにおいて、「レングス」のフィールドに格納された値の総データ長となる１または複数のＩＰｖ４パケットを含む。
【００４３】
また、「パケットタイプ」のフィールドにおいて「０ｘ０２」が格納される場合、ＴＬＶパケットは、ＴＬＶペイロードにおいて、「レングス」のフィールドに格納された値の総データ長となる１または複数のＩＰｖ６パケットを含む。
【００４４】
また、「パケットタイプ」のフィールドにおいて「０ｘＦＦ」が格納される場合、ＴＬＶパケットは、ＴＬＶペイロードにおいて、ＮＵＬＬパケット、すなわち「レングス」のフィールドに格納された値の総データ長となるヌルデータを含む。
【００４５】
また、「パケットタイプ」のフィールドにおいて「０ｘＦＥ」が格納される場合、ＴＬＶパケットは、ＴＬＶペイロードにおいて、伝送制御信号パケットを含む。
伝送制御信号パケットは、図２に示すように、テーブルＩＤのフィールド、「１１１１」の値が格納されたフィールド、セクション長の格納されたフィールド、拡張テーブルＩＤの格納されたフィールド、バージョン番号等の格納されたフィールド、プライベートデータの格納されたフィールド、およびＣＲＣデータの格納されたフィールドを含む。
【００４６】
「テーブルＩＤ」のフィールドにおいて「０ｘ４０」または「０ｘ４１」が格納される場合、伝送制御信号パケットは、プライベートデータとしてＴＬＶ−ＮＩＴ（Ｎｅｔｗｏｒｋ  Ｉｎｆｏｒｍａｔｉｏｎ  Ｔａｂｌｅ）を含む。ＴＬＶ−ＮＩＴの場合、「拡張テーブルＩＤ」においてネットワーク識別子が格納される。ネットワーク識別子は、高度ＢＳの場合、「０ｘ０００Ｂ」である。
【００４７】
また、「テーブルＩＤ」のフィールドにおいて「０ｘＦＥ」が格納され、かつ「拡張テーブルＩＤ」のフィールドにおいて「０ｘ００００」が格納される場合、伝送制御信号パケットは、プライベートデータとしてＡＭＴ（Ａｄｄｒｅｓｓ  Ｍａｐ  Ｔａｂｌｅ）を含む。
【００４８】
図３は、本発明の実施の形態に係る放送受信システムにおいて伝送されるヘッダ圧縮ＩＰパケットのヘッダの一例を示す図である。
【００４９】
図２および図３を参照して、ＴＬＶヘッダの「パケットタイプ」のフィールドにおいて「０ｘ０３」が格納される場合、ＴＬＶパケットは、ＴＬＶペイロードにおいて、「レングス」のフィールドに格納された値の総データ長となる１または複数のヘッダ圧縮ＩＰパケットを含む。
【００５０】
ヘッダ圧縮ＩＰパケットは、フルヘッダまたは圧縮ヘッダと、１または複数のＭＭＴパケットが格納されるＵＤＰペイロードとを含む。フルヘッダは、「ＣＩＤ（Ｃｏｎｔｅｘｔ  Ｉｄｅｎｔｉｆｉｃａｔｉｏｎ）ヘッダータイプ」のフィールドにおいて「０ｘ６０」が格納され、「ＣＩＤ」のフィールド、「シーケンス番号（ＳＮ）」のフィールド、「ＣＩＤヘッダータイプ」のフィールド、バージョン番号等が含まれる「０ｘ６０００００００」等の値が格納されたフィールド、次ヘッダの情報等が含まれる「０ｘ１１２０」等の値が格納されたフィールド、「送信元アドレス」のフィールド、「送信先アドレス」のフィールド、「送信元ポート」のフィールド、および「送信先ポート」のフィールドを含む。
【００５１】
圧縮ヘッダは、「ＣＩＤヘッダータイプ」のフィールドにおいて「０ｘ６１」が格納され、「ＣＩＤ」のフィールド、「シーケンス番号（ＳＮ）」のフィールド、および「ＣＩＤヘッダータイプ」のフィールドを含む。
【００５２】
フルヘッダを含むヘッダ圧縮ＩＰパケットは、放送局から一定間隔たとえば５００ミリ秒間隔で送出され、圧縮ヘッダを含むヘッダ圧縮ＩＰパケットは、フルヘッダを含むヘッダ圧縮ＩＰパケットよりも短い間隔で送出される。
【００５３】
図４は、本発明の実施の形態に係る放送受信システムにおけるコンテンツ取得のための情報取得経路の一例を示す図である。
【００５４】
図４を参照して、まず、放送受信装置１０１は、ＴＬＶ−ＮＩＴから、各ストリームすなわち各サービスの周波数にチューンするための情報を取得する。
【００５５】
次に、放送受信装置１０１は、ＡＭＴを取得し、対象のストリームにおけるＰＬＴが流れているＩＰデータフローの情報、すなわちＰＬＴを含むＰＡメッセージを受信するための情報をＡＭＴから取得する。放送受信装置１０１は、ＰＩＤ（パケットＩＤ）が０ｘ００００のＭＭＴパケットからＰＬＴを取得することができる。
【００５６】
次に、放送受信装置１０１は、ＰＬＴを取得し、各サービスのＭＰＴが流れているＩＰデータフローの情報、すなわちＭＰＴを含むＰＡメッセージを受信するための情報をＰＬＴから取得する。
【００５７】
次に、放送受信装置１０１は、ＭＰＴを取得し、対応するサービスの映像ＭＰＵ（Ｍｅｄｉａ  Ｐｒｏｃｅｓｓｉｎｇ  Ｕｎｉｔ）、音声ＭＰＵおよび字幕ＭＰＵ等が流れているＩＰデータフローの情報をＭＰＴから取得する。
【００５８】
以下、ＩＰデータフローの情報をＩＰデータフロー情報とも称する。ＩＰデータフロー情報は、たとえば、前述の「送信元アドレス」、「送信先アドレス」、「送信元ポート」および「送信先ポート」である。
【００５９】
図５は、本発明の実施の形態に係る放送受信システムにおけるコンテンツ取得のための情報取得経路の一例を示す図である。図５は、高度ＣＳの運用イメージを示している。図５では、説明を簡単にするためにＴＬＶヘッダを示していない。
【００６０】
図５を参照して、各ＩＰデータフローは、ヘッダ圧縮ＩＰパケットにより構成される。サービスＡ，Ｂ，ＣすなわちチャンネルＡ，Ｂ，ＣのＩＰデータフローのＣＩＤは、それぞれＩＤ１〜ＩＤ３である。ＰＬＴを含むＳＩ専用のＩＰデータフローのＣＩＤは、ＩＤ４である。
【００６１】
これらのＩＰデータフローでは、５００ｍ秒に１回フルヘッダを含むヘッダ圧縮ＩＰパケットが放送局から送出される。また、ＮＴＰ（Ｎｅｔｗｏｒｋ  Ｔｉｍｅ  Ｐｒｏｔｏｃｏｌ）専用のＩＰデータフローでは、常にフルヘッダを含むヘッダ圧縮ＩＰパケットが放送局から送出される。
【００６２】
これらのＩＰデータフローは、ストリームに多重化されて放送波ＢＷにより放送受信装置１０１へ伝送される。
【００６３】
ここで、放送受信装置１０１がストリームに多重化された各ＩＰデータフローを単に受信して処理する構成であると仮定した場合、図５に示すようなストリームの処理は、以下のようになる。ここでは、放送受信装置１０１が、ＡＭＴからＰＬＴのＩＰデータフロー情報を取得した後の動作について説明する。
【００６４】
図５に示すように、まず、タイミングＴ１において、放送受信装置１０１は、ＰＬＴを含むヘッダ圧縮ＩＰパケットを受信する。しかしながら、このパケットは圧縮ヘッダのＩＰパケットであることから、放送受信装置１０１は、当該ＩＰパケットのＣＩＤであるＩＤ４がどのＩＰデータフローであるかを特定できないため、ＰＬＴを取得することができない。
【００６５】
次に、タイミングＴ２において、放送受信装置１０１は、サービスＡの情報を含むヘッダ圧縮ＩＰパケットを受信する。しかしながら、放送受信装置１０１は、サービスＡのＩＰデータフローを未取得であるため、サービスＡの情報を取得することができない。
【００６６】
次に、タイミングＴ３において、放送受信装置１０１は、ＰＬＴを含むヘッダ圧縮ＩＰパケットを受信する。このパケットはフルヘッダのＩＰパケットであることから、放送受信装置１０１は、当該ＩＰパケットのＣＩＤであるＩＤ４と取得済みのＩＰデータフロー情報との対応関係を得ることができ、受信したヘッダ圧縮ＩＰパケットからＰＬＴを取得することができる。そして、放送受信装置１０１は、ＰＬＴからサービスＡのＩＰデータフロー情報を取得する。
【００６７】
次に、タイミングＴ４において、放送受信装置１０１は、サービスＡの情報を含むヘッダ圧縮ＩＰパケットを再び受信する。しかしながら、このパケットは圧縮ヘッダのＩＰパケットであることから、放送受信装置１０１は、当該ＩＰパケットのＣＩＤであるＩＤ１がどのＩＰデータフローであるかを特定できないため、ここでもサービスＡの情報を取得することができない。
【００６８】
次に、タイミングＴ５において、放送受信装置１０１は、サービスＡの情報を含むヘッダ圧縮ＩＰパケットを受信する。このパケットはフルヘッダのＩＰパケットであることから、放送受信装置１０１は、当該ＩＰパケットのＣＩＤであるＩＤ１と取得済みのＩＰデータフロー情報との対応関係を得ることができ、受信したヘッダ圧縮ＩＰパケットからサービスＡの情報を取得することができる。
【００６９】
このように、コンテンツの再生を開始するためには、ＰＬＴおよびＭＰＴ等の情報を含むフルヘッダのＩＰパケットを受信する必要があり、フルヘッダのＩＰパケットはたとえば５００ｍ秒に１回しか送出されないことから、たとえばＰＬＴ、ＭＰＴおよびＥＣＭを得るまでに最大で（５００ミリ×３）秒かかり、再生開始までに時間を要してしまう。
【００７０】
そこで、本発明の実施の形態に係る放送受信装置では、以下のような構成および動作により、上記問題を解決する。
【００７１】
図６は、本発明の実施の形態に係る放送受信システムにおける放送受信装置の構成を示す図である。
【００７２】
図６を参照して、放送受信装置１０１は、受信部１１と、処理部１２と、記憶部１３とを備える。
【００７３】
受信部１１は、アンテナ１４１経由で受信した放送波ＢＷに含まれるストリームを処理部１２へ出力する。
【００７４】
処理部１２は、受信部１１から受けたストリームを構成するＴＬＶパケットの受信処理を行い、ＴＬＶパケットに含まれる情報の一部または全部を記憶部１３に保存する。また、処理部１２は、記憶部１３に保存した情報等を用いてコンテンツを再生する処理を行い、得られた映像情報および音声情報等を表示装置１５１へ送信する。
【００７５】
図７は、本発明の実施の形態に係る放送受信装置における処理部の構成を示す図である。
【００７６】
図７を参照して、処理部１２は、チャンネルリスト作成部（取得部）２１と、チャンネル情報作成部（対応情報作成部）２２と、録画部２３と、再生部２４とを含む。
【００７７】
チャンネルリスト作成部２１は、第１動作モードにおいてＴＬＶ−ＮＩＴを取得する。より詳細には、チャンネルリスト作成部２１は、取得したＴＬＶ−ＮＩＴに基づくリスト情報たとえばチャンネルリストを作成する。
【００７８】
チャンネル情報作成部２２は、第２動作モードにおいて、チャンネルリスト作成部２１によって取得されたＴＬＶ−ＮＩＴに基づいて、たとえば上記チャンネルリストに基づいて、フルヘッダを含む複数のＴＬＶパケットを受信する。
【００７９】
そして、チャンネル情報作成部２２は、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢ（データベース）を作成し、保持する。
【００８０】
再生部２４は、圧縮ヘッダを含む複数のＴＬＶパケットを受信し、受信した複数のＴＬＶパケット、およびチャンネル情報作成部２２によって保持された対応情報に基づいて、コンテンツ情報を再生する処理を行う。
【００８１】
録画部２３は、各ＩＰデータフローを記録する処理を行う。
【００８２】
再生部２４は、録画部２３によって記録されたＩＰデータフローにおける圧縮ヘッダを含む複数のＴＬＶパケット、およびチャンネル情報作成部２２によって保持された対応情報に基づいて、当該ＩＰデータフローにおけるコンテンツ情報を再生する処理を行う。
【００８３】
［動作の流れ］
【００８４】
放送受信装置１０１は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。このプログラムは、それぞれ、外部からインストールすることができる。このプログラムは、記録媒体に格納された状態で流通する。
【００８５】
図８は、本発明の実施の形態に係る放送受信装置がチャンネル情報ＤＢの構築処理を行う際の動作手順を定めたフローチャートである。
【００８６】
放送受信装置１０１における処理部１２は、放送受信装置１０１の起動時等、コンテンツの再生処理を行う前の動作モードにおいて、以下のような処理を行う。
【００８７】
すなわち、前述のように、放送受信装置１０１は、まず、第１動作モードにおいてＴＬＶ−ＮＩＴを取得する。
【００８８】
次に、放送受信装置１０１は、第２動作モードにおいて、取得したＴＬＶ−ＮＩＴに基づいて、フルヘッダを含む複数のＴＬＶパケットを受信し、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢを作成し、保持する。
【００８９】
具体的には、図８を参照して、まず、処理部１２は、チャンネルスキャンにおいて、放送チャンネルと周波数との対応関係を示すチャンネルリストを作成するチャンネルリスト構築処理を行う。チャンネルスキャンは、たとえばユーザに提示するチャンネルの一覧を作成する処理であり、第１動作モードの一例である（ステップＳ１）。
【００９０】
次に、処理部１２は、第２動作モードにおいて、作成したチャンネルリストに登録されたチャンネルを１つ選択し（ステップＳ２）、選択したチャンネルについて、後述するチャンネル情報ＤＢ構築処理を行う（ステップＳ３）。
【００９１】
次に、処理部１２は、チャンネルリストに登録されたすべてのチャンネルについてのチャンネル情報ＤＢ構築処理が完了した場合（ステップＳ４でＹＥＳ）、処理を終了する。
【００９２】
一方、処理部１２は、チャンネルリストにおいて未処理のチャンネルが存在する場合（ステップＳ４でＮＯ）、未処理のチャンネルを１つ選択し（ステップＳ５）、選択したチャンネルについて、チャンネル情報ＤＢ構築処理を行う（ステップＳ３）。
【００９３】
図９は、本発明の実施の形態に係る放送受信装置がチャンネルリスト構築処理を行う際の動作手順を定めたフローチャートである。
【００９４】
図９を参照して、まず、処理部１２は、受信部１１にデフォルト周波数での受信を開始させ（ステップＳ１１）、ＴＬＶ−ＮＩＴの受信待ち状態となる（ステップＳ１２）。
【００９５】
次に、処理部１２は、伝送制御信号パケットに含まれるＴＬＶ−ＮＩＴを受信すると（ステップＳ１３でＹＥＳ）、ＴＬＶ−ＮＩＴを解析することにより、放送チャンネルとその周波数とを対応付け、放送チャンネルと周波数との対応関係を示すチャンネルリストを作成する（ステップＳ１４）。
【００９６】
図１０は、本発明の実施の形態に係る放送受信装置がチャンネル情報ＤＢ構築処理を行う際の動作手順を定めたフローチャートである。
【００９７】
図１０を参照して、まず、処理部１２は、チャンネルリストを参照して、選択したチャンネルの周波数での受信を受信部１１に開始させ（ステップＳ２１）、ＡＭＴの受信待ち状態となる（ステップＳ２２）。
【００９８】
次に、処理部１２は、伝送制御信号パケットに含まれるＡＭＴを受信すると（ステップＳ２３でＹＥＳ）、ＡＭＴを解析することにより、受信対象のＰＬＴのＩＰデータフロー情報を取得し、記憶する（ステップＳ２４）。
【００９９】
次に、処理部１２は、ＰＬＴの受信待ち状態となり（ステップＳ２５）、フルヘッダのヘッダ圧縮ＩＰパケットに含まれるＰＬＴを受信すると（ステップＳ２６でＹＥＳ）、ＰＬＴのＣＩＤとＩＰデータフロー情報とを対応付け、この対応関係をチャンネル情報ＤＢに登録する（ステップＳ２７）。
【０１００】
次に、処理部１２は、ＰＬＴを解析することにより、受信対象のＭＰＴすなわち選択チャンネルに対応するＭＰＴのＩＰデータフロー情報を取得し、記憶する（ステップＳ２８）。
【０１０１】
次に、処理部１２は、ＭＰＴの受信待ち状態となり（ステップＳ２９）、フルヘッダのヘッダ圧縮ＩＰパケットに含まれるＭＰＴを受信すると（ステップＳ３０でＹＥＳ）、ＭＰＴのＣＩＤとＩＰデータフロー情報とを対応付け、この対応関係をチャンネル情報ＤＢに登録する（ステップＳ３１）。
【０１０２】
次に、処理部１２は、ＭＰＴを解析することにより、受信対象すなわち選択チャンネルの映像、音声および字幕等のアセットのＩＰデータフロー情報を取得し、記憶する（ステップＳ３２）。
【０１０３】
次に、処理部１２は、アセットの受信待ち状態となり（ステップＳ３３）、すべてのアセットについて、フルヘッダのヘッダ圧縮ＩＰパケットに含まれるアセットを受信すると（ステップＳ３４でＹＥＳ）、各アセットのＣＩＤとＩＰデータフロー情報とを対応付け、これらの対応関係をチャンネル情報ＤＢに登録する（ステップＳ３５）。
【０１０４】
なお、高度ＢＳでは、ＰＬＴ、ＭＰＴおよびアセットを１つのＩＰデータフローで運用する。すなわち、処理部１２は、高度ＢＳの場合、たとえばＰＬＴのＣＩＤとＩＰデータフロー情報との対応関係をチャンネル情報ＤＢに登録して（ステップＳ２７）、チャンネル情報ＤＢ構築処理を終了すればよい。
【０１０５】
また、高度ＣＳでは、ＰＬＴはＳＩ専用のＩＰデータフローで伝送され、また、サービスごとに異なるＩＰデータフローが用いられる。また、同一サービスにおいて、ＭＰＴおよびアセットは１つのＩＰデータフローで伝送される。すなわち、処理部１２は、高度ＣＳの場合、たとえばＭＰＴのＣＩＤとＩＰデータフロー情報との対応関係をチャンネル情報ＤＢに登録して（ステップＳ３１）、チャンネル情報ＤＢ構築処理を終了すればよい。
【０１０６】
図１１は、本発明の実施の形態に係る放送受信システムにおけるチャンネル情報ＤＢの一例を概略的に示す図である。
【０１０７】
図１１を参照して、チャンネル情報ＤＢは、１または複数のチャンネルについて、当該チャンネルにおける１または複数のＩＰデータフロー情報とＣＩＤとの対応関係を示す。
【０１０８】
図１１に示す例では、チャンネルＡにおいて、ＩＰデータフロー情報１〜３とＣＩＤであるＩＤ１〜ＩＤ３とがそれぞれ対応し、チャンネルＢにおいて、ＩＰデータフロー情報４〜６とＣＩＤであるＩＤ４〜ＩＤ６とがそれぞれ対応している。
【０１０９】
図１２は、本発明の実施の形態に係る放送受信装置がコンテンツの視聴開始処理を行う際の動作手順を定めたフローチャートである。
【０１１０】
放送受信装置１０１は、圧縮ヘッダを含む複数のＴＬＶパケットを受信し、受信した複数のＴＬＶパケット、および保持した対応情報に基づいて、コンテンツ情報を再生する処理を行う。
【０１１１】
具体的には、図１２を参照して、ここでは、放送受信装置１０１が、図１１に示すチャンネル情報ＤＢを保持している場合について説明する。
【０１１２】
放送受信装置１０１において、たとえばユーザの指示に従い、第３動作モードとしてチャンネルＡの視聴処理が開始される（ステップＳ５１）。
【０１１３】
まず、処理部１２は、ＰＬＴの受信待ち状態となる（ステップＳ５２）。ここで、処理部１２は、ＩＰデータフロー情報を確認することなく、チャンネル情報ＤＢを用いてＣＩＤによりＰＬＴを含むヘッダ圧縮ＩＰパケットを判別することができる。
【０１１４】
次に、処理部１２は、たとえば圧縮ヘッダのＣＩＤがＩＤ１であり（ステップＳ５３でＹＥＳ）、かつＰＬＴを含むパケットすなわちＰＩＤがゼロのＭＭＴパケットを受信すると（ステップＳ５４でＹＥＳ）、当該パケットからＰＬＴを取得する。そして、処理部１２は、ＰＬＴを解析することにより、ＭＰＴの、ＩＰデータフロー情報２およびＰＩＤ＝２を取得する（ステップＳ５５）。
【０１１５】
次に、処理部１２は、チャンネル情報ＤＢを検索することにより、ＩＰデータフロー２のＣＩＤがＩＤ２であることを確認する（ステップＳ５６）。
【０１１６】
次に、処理部１２は、ＭＰＴの受信待ち状態となる（ステップＳ５７）。ここで、処理部１２は、ＩＰデータフロー情報を確認することなく、チャンネル情報ＤＢを用いてＣＩＤによりＭＰＴを含むヘッダ圧縮ＩＰパケットを判別することができる。
【０１１７】
次に、処理部１２は、たとえば圧縮ヘッダのＣＩＤがＩＤ２であり（ステップＳ５８でＹＥＳ）、かつＭＰＴを含むパケットすなわちＰＩＤが２のＭＭＴパケットを受信すると（ステップＳ５９でＹＥＳ）、当該パケットからＭＰＴを取得する。そして、処理部１２は、ＭＰＴを解析することにより、アセットの、ＩＰデータフロー情報３およびＰＩＤ＝３を取得する（ステップＳ６０）。
【０１１８】
次に、処理部１２は、チャンネル情報ＤＢを検索することにより、ＩＰデータフロー３のＣＩＤがＩＤ３であることを確認する（ステップＳ６１）。
【０１１９】
次に、処理部１２は、アセットの受信待ち状態となる（ステップＳ６２）。ここで、処理部１２は、ＩＰデータフロー情報を確認することなく、チャンネル情報ＤＢを用いてＣＩＤによりアセットを含むヘッダ圧縮ＩＰパケットを判別することができる。
【０１２０】
図１３は、本発明の実施の形態に係る放送受信装置がチャンネル情報ＤＢを更新する際の動作手順を定めたフローチャートである。
【０１２１】
図１３を参照して、処理部１２は、視聴および録画等での対象チャンネルのデータの受信中において（ステップＳ４１）、ＡＭＴに記述されたＰＬＴのＩＰデータフロー情報を確認し、ＩＰデータフロー情報が更新された場合（ステップＳ４２でＹＥＳ）、チャンネル情報ＤＢ構築処理、具体的には、図１０に示すフローチャートのステップＳ２４以降の処理を行う（ステップＳ４３）。
【０１２２】
また、処理部１２は、ＰＬＴのＩＰデータフロー情報が変更されていない場合（ステップＳ４２でＮＯ）、ＰＬＴに記述されたＭＰＴのＩＰデータフロー情報を確認する（ステップＳ４４）。
【０１２３】
処理部１２は、ＭＰＴのＩＰデータフロー情報が更新された場合（ステップＳ４４でＹＥＳ）、チャンネル情報ＤＢ構築処理、具体的には、図１０に示すフローチャートのステップＳ２７以降の処理を行う（ステップＳ４５）。
【０１２４】
また、処理部１２は、ＰＬＴおよびＭＰＴのＩＰデータフロー情報が変更されていない場合（ステップＳ４２でＮＯおよびステップＳ４４でＮＯ）、ＭＰＴに記述されたアセットのＩＰデータフロー情報を確認する（ステップＳ４６）。
【０１２５】
処理部１２は、アセットのＩＰデータフロー情報が更新された場合（ステップＳ４６でＹＥＳ）、チャンネル情報ＤＢ構築処理、具体的には、図１０に示すフローチャートのステップＳ３１以降の処理を行う（ステップＳ４７）。
【０１２６】
そして、処理部１２は、対象チャンネルのデータを引き続き受信し、各ＩＰデータフロー情報の更新の有無を確認する。
【０１２７】
図１４は、本発明の実施の形態に係る放送受信装置が録画処理を行う際の動作手順を定めたフローチャートである。
【０１２８】
チャンネル情報作成部２２は、特定のＣＩＤに対応する上記対応関係を選択的に取得し、対応情報として保持する。
【０１２９】
具体的には、図１４を参照して、放送受信装置１０１において、たとえばユーザの指示に従い、第４動作モードとしてチャンネルＡの録画処理が開始される（ステップＳ７１）。
【０１３０】
まず、処理部１２は、図８等に示す処理によって作成済みのチャンネル情報ＤＢからチャンネルＡのチャンネル情報、図１１に示す例ではＩＰデータフロー情報１〜３とＣＩＤであるＩＤ１〜ＩＤ３との対応関係を抽出し、記憶部１３に保存する（ステップＳ７２）。
【０１３１】
次に、処理部１２は、各ＩＰデータフローを記録する処理を行う。より詳細には、処理部１２は、チャンネルＡについて、ＰＬＴ、ＭＰＴおよびアセット等のデータを受信し、抽出したチャンネル情報と対応付けて記憶部１３に保存する（ステップＳ７３）。
【０１３２】
図１５は、本発明の実施の形態に係る放送受信装置が録画再生処理を行う際の動作手順を定めたフローチャートである。
【０１３３】
処理部１２は、記録したＩＰデータフローにおける圧縮ヘッダを含む複数のＴＬＶパケット、および保持した対応情報に基づいて、当該ＩＰデータフローにおけるコンテンツ情報を再生する処理を行う。
【０１３４】
具体的には、図１５を参照して、放送受信装置１０１において、たとえばユーザの指示に従い、第５動作モードとして、録画されたチャンネルＡのコンテンツの再生処理が開始される（ステップＳ８１）。
【０１３５】
まず、処理部１２は、記憶部１３からチャンネルＡのチャンネル情報を読み出して保持する（ステップＳ８２）。
【０１３６】
次に、処理部１２は、記憶部１３からチャンネルＡのＰＬＴ、ＭＰＴおよびアセット等の一連のデータを読み出し、ＰＬＴを含むヘッダ圧縮ＩＰパケットを検索する（ステップＳ８３）。処理部１２は、読み出したチャンネル情報を用いて検索対象のヘッダ圧縮ＩＰパケットをＣＩＤにより判別する。
【０１３７】
次に、処理部１２は、たとえば圧縮ヘッダのＣＩＤがＩＤ１であり（ステップＳ８４でＹＥＳ）、かつＰＬＴを含むパケットすなわちＰＩＤがゼロのＭＭＴパケットを検索すると（ステップＳ８５でＹＥＳ）、当該パケットからＰＬＴを取得する。
【０１３８】
以降、処理部１２は、図１２に示す視聴開始処理と同様の処理、具体的には、放送波ＢＷからパケットを取得する代わりに、記憶部１３からチャンネルＡのパケットを読み出すことにより、図１２に示すフローチャートのステップＳ５５以降と同様の処理を行う（ステップＳ８６）。
【０１３９】
このように、チャンネル情報を録画データとともに保存しておく構成により、録画再生処理においても、コンテンツの再生開始までに要する時間を短縮することが可能となる。
【０１４０】
図１６は、本発明の実施の形態に係る放送受信装置がＤＬＮＡ配信処理を行う際の動作手順を定めたフローチャートである。
【０１４１】
放送受信装置１０１は、録画コンテンツのＤＬＮＡ（Ｄｉｇｉｔａｌ  Ｌｉｖｉｎｇ  Ｎｅｔｗｏｒｋ  Ａｌｌｉａｎｃｅ）配信処理を行う構成であってもよい。
【０１４２】
より詳細には、処理部１２は、たとえばＤＬＮＡ規格に従うＤＭＳ（Ｄｉｇｉｔａｌ  Ｍｅｄｉａ  Ｓｅｒｖｅｒ）として動作する。処理部１２は、ＤＬＮＡ規格に従うＤＭＰ（Ｄｉｇｉｔａｌ  Ｍｅｄｉａ  Ｐｌａｙｅｒ）として動作する図示しない端末装置からの要求に応じて、ＤＬＮＡ規格に従い、暗号化処理等を含む、ＭＭＴパケットをネットワーク経由で端末装置へ配信する処理を行う。
【０１４３】
具体的には、図１６を参照して、放送受信装置１０１において、たとえばユーザの指示に従い、チャンネルＡのＤＬＮＡ配信処理が開始される（ステップＳ９１）。
【０１４４】
まず、処理部１２は、記憶部１３からチャンネルＡのチャンネル情報を読み出して端末装置へ送信する（ステップＳ９２）。
【０１４５】
次に、処理部１２は、記憶部１３からチャンネルＡのＰＬＴ、ＭＰＴおよびアセット等の一連のデータを読み出し、端末装置へ送信する（ステップＳ９３）。
【０１４６】
これにより、端末装置は、放送受信装置１０１と同様に、チャンネルＡのチャンネル情報を用いて、図１２に示すような処理を行い、コンテンツの再生開始までに要する時間を短縮することが可能となる。
【０１４７】
なお、本発明の実施の形態に係る放送受信装置は、録画部２３を備える構成であるとしたが、これに限定するものではない。放送受信装置１０１は、録画部２３を備えず、録画機能を有しない構成であってもよい。
【０１４８】
ところで、非特許文献１に記載されているような放送データを受信してコンテンツを再生するためには、ＰＬＴ、ＭＰＴおよびＥＣＭ等を受信して解析する必要がある。すなわち、コンテンツの再生を開始するためには、これらの情報を含むパケットを受信する必要があり、再生開始までに要する時間は、これらのパケットの取得時間に依存する。再生開始までに要する時間を短縮可能な技術が望まれる。
【０１４９】
これに対して、本発明の実施の形態に係る放送受信装置では、チャンネルリスト作成部２１は、第１動作モードにおいてＴＬＶ−ＮＩＴを取得する。チャンネル情報作成部２２は、第２動作モードにおいて、チャンネルリスト作成部２１によって取得されたＴＬＶ−ＮＩＴに基づいて、フルヘッダを含む複数のＴＬＶパケットを受信する。そして、チャンネル情報作成部２２は、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢを作成し、保持する。再生部２４は、圧縮ヘッダを含む複数のＴＬＶパケットを受信し、受信した複数のＴＬＶパケット、およびチャンネル情報作成部２２によって保持された対応情報に基づいて、コンテンツ情報を再生する処理を行う。
【０１５０】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの受信を待つことなく圧縮ヘッダを含むＴＬＶパケットを受信して処理することができる。
【０１５１】
具体的には、たとえば、ＰＬＴ、ＭＰＴおよびＥＣＭを含む圧縮ヘッダのパケットの再送周期を１００ミリ秒とすると、フルヘッダのＩＰパケットを受信する必要がある場合にはＰＬＴ、ＭＰＴおよびＥＣＭを得るまでに最大で（５００ミリ×３）秒を要するところを（１００ミリ×３）秒に短縮することができる。
【０１５２】
したがって、本発明の実施の形態に係る放送受信装置では、ＭＭＴを用いるデジタル放送において、コンテンツの再生開始までに要する時間を短縮することができる。
【０１５３】
また、本発明の実施の形態に係る放送受信装置では、チャンネルリスト作成部２１は、第１動作モードにおいてＴＬＶ−ＮＩＴを取得する。チャンネル情報作成部２２は、第２動作モードにおいて、チャンネルリスト作成部２１によって取得されたＴＬＶ−ＮＩＴに基づいて、フルヘッダを含む複数のＴＬＶパケットを受信する。そして、チャンネル情報作成部２２は、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢを作成し、保持する。録画部２３は、各ＩＰデータフローを記録する処理を行う。再生部２４は、録画部２３によって記録されたＩＰデータフローにおける圧縮ヘッダを含む複数のＴＬＶパケット、およびチャンネル情報作成部２２によって保持された対応情報に基づいて、当該ＩＰデータフローにおけるコンテンツ情報を再生する処理を行う。
【０１５４】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく構成により、コンテンツの再生処理を行う動作モードにおいて、フルヘッダを含むＴＬＶパケットの検索を待つことなく圧縮ヘッダを含むＴＬＶパケットを検索して処理することができる。
【０１５５】
したがって、本発明の実施の形態に係る放送受信装置では、ＭＭＴを用いるデジタル放送において、コンテンツの再生開始までに要する時間を短縮することができる。
【０１５６】
また、本発明の実施の形態に係る放送受信装置では、チャンネル情報作成部２２は、特定のＣＩＤに対応する上記対応関係を選択的に取得し、対応情報として保持する。
【０１５７】
このような構成により、特にサービスごとにＩＰデータフローが異なる場合において、各コンテンツに対応する情報のうち、録画対象のコンテンツに対応する情報を選択的に保存することができるため、データの効率的な保存および処理が可能となる。
【０１５８】
また、本発明の実施の形態に係る放送受信方法では、まず、第１動作モードにおいてＴＬＶ−ＮＩＴを取得する。次に、第２動作モードにおいて、取得したＴＬＶ−ＮＩＴに基づいて、フルヘッダを含む複数のＴＬＶパケットを受信し、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢを作成し、保持する。次に、圧縮ヘッダを含む複数のＴＬＶパケットを受信し、受信した複数のＴＬＶパケット、および保持した対応情報に基づいて、コンテンツ情報を再生する処理を行う。
【０１５９】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく方法により、コンテンツの再生処理を行う動作モードにおいて、フルヘッダを含むＴＬＶパケットの受信を待つことなく圧縮ヘッダを含むＴＬＶパケットを受信して処理することができる。
【０１６０】
したがって、本発明の実施の形態に係る放送受信方法では、ＭＭＴを用いるデジタル放送において、コンテンツの再生開始までに要する時間を短縮することができる。
【０１６１】
また、本発明の実施の形態に係る放送受信方法では、まず、第１動作モードにおいてＴＬＶ−ＮＩＴを取得する。次に、第２動作モードにおいて、取得したＴＬＶ−ＮＩＴに基づいて、フルヘッダを含む複数のＴＬＶパケットを受信し、受信した複数のＴＬＶパケットに基づいて、ＰＬＴ、ＭＰＴおよびコンテンツ情報が含まれる１または複数のＩＰデータフローの送信元情報および送信先情報と当該ＩＰデータフローのＣＩＤとの対応関係を示す対応情報たとえばチャンネル情報ＤＢを作成し、保持する。次に、各ＩＰデータフローを記録する処理を行う。次に、記録したＩＰデータフローにおける圧縮ヘッダを含む複数のＴＬＶパケット、および保持した対応情報に基づいて、当該ＩＰデータフローにおけるコンテンツ情報を再生する処理を行う。
【０１６２】
このように、コンテンツの再生処理を行う前の動作モードにおいて、ＴＬＶ−ＮＩＴを取得し、取得した情報を用いて受信したフルヘッダを含む複数のＴＬＶパケットに基づいて、ＰＬＴ等の各種情報のＩＰデータフロー情報とＣＩＤとの対応関係を保持しておく方法により、コンテンツの再生処理を行う動作モードにおいて、フルヘッダを含むＴＬＶパケットの検索を待つことなく圧縮ヘッダを含むＴＬＶパケットを検索して処理することができる。
【０１６３】
したがって、本発明の実施の形態に係る放送受信方法では、ＭＭＴを用いるデジタル放送において、コンテンツの再生開始までに要する時間を短縮することができる。
【０１６４】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１６５】
以上の説明は、以下に付記する特徴を含む。
［付記１］
高度広帯域衛星デジタル放送に用いられる放送受信装置であって、
第１動作モードにおいてＴＬＶ−ＮＩＴを取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、
圧縮ヘッダを含む複数のＴＬＶパケットを受信し、受信した前記複数のＴＬＶパケット、および前記対応情報作成部によって保持された前記対応情報に基づいて、前記コンテンツ情報を再生する処理を行う再生部とを備え、
前記取得部は、取得したＴＬＶ−ＮＩＴに基づくリスト情報を作成し、
前記対応情報作成部は、作成した前記リスト情報に基づいて、フルヘッダを含む複数のＴＬＶパケットを受信し、
前記ＩＰデータフローの送信元情報は、送信元アドレスおよび送信元ポートであり、
前記ＩＰデータフローの送信先情報は、送信先アドレスおよび送信先ポートである、放送受信装置。
【０１６６】
［付記２］
高度広帯域衛星デジタル放送に用いられる放送受信装置であって、
第１動作モードにおいてＴＬＶ−ＮＩＴを取得する取得部と、
第２動作モードにおいて、前記取得部によって取得されたＴＬＶ−ＮＩＴに基づいて、フルヘッダを含む複数のＴＬＶパケットを受信し、受信した前記複数のＴＬＶパケットに基づいて、ＰＬＴ、ＭＰＴおよびコンテンツ情報が含まれる１または複数のＩＰデータフローの送信元情報および送信先情報と前記ＩＰデータフローのＣＩＤとの対応関係を示す対応情報を作成し、保持する対応情報作成部と、
各前記ＩＰデータフローを記録する処理を行う録画部と、
前記録画部によって記録された前記ＩＰデータフローにおける圧縮ヘッダを含む複数のＴＬＶパケット、および前記対応情報作成部によって保持された前記対応情報に基づいて、前記ＩＰデータフローにおける前記コンテンツ情報を再生する処理を行う再生部とを備え、
前記取得部は、取得したＴＬＶ−ＮＩＴに基づくリスト情報を作成し、
前記対応情報作成部は、作成した前記リスト情報に基づいて、フルヘッダを含む複数のＴＬＶパケットを受信し、
前記ＩＰデータフローの送信元情報は、送信元アドレスおよび送信元ポートであり、
前記ＩＰデータフローの送信先情報は、送信先アドレスおよび送信先ポートである、放送受信装置。
【符号の説明】
【０１６７】
１１  受信部
１２  処理部
１３  記憶部
２１  チャンネルリスト作成部（取得部）
２２  チャンネル情報作成部（対応情報作成部）
２３  録画部
２４  再生部
１０１  放送受信装置
１５１  表示装置
３０１  放送受信システム
【図１】
2019054365.tif 000003
【図２】
2019054365.tif 000004
【図３】
2019054365.tif 000005
【図４】
2019054365.tif 000006
【図５】
2019054365.tif 000007
【図６】
2019054365.tif 000008
【図７】
2019054365.tif 000009
【図８】
2019054365.tif 000010
【図９】
2019054365.tif 000011
【図１０】
2019054365.tif 000012
【図１１】
2019054365.tif 000013
【図１２】
2019054365.tif 000014
【図１３】
2019054365.tif 000015
【図１４】
2019054365.tif 000016
【図１５】
2019054365.tif 000017
【図１６】
2019054365.tif 000018